【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】  電子文書のページに対して該文書のコンテンツに無関係に注釈を付けるコンピュータ実施方法であって、
ユーザが複数の文書ページ間で前方又は後方に移動することを可能にする文書ブラウザを使用して、前記電子文書のページをコンピュータ表示装置に表示するステップと、
前記電子文書の現在表示されたページが、該電子文書とは別個に記憶された既存の注釈ファイルに関連するものか否かを決定するステップと、
前記現在表示されたページが前記既存の注釈ファイルに関連する場合、前記別個に記憶された注釈ファイルを検索し、既に記憶されていた注釈ファイルデータに対応する注釈を前記コンピュータ表示装置に表示するステップと、
前記現在表示されたページが前記既存の注釈ファイルに関連しない場合、前記電子文書とは別個に記憶される新たな注釈ファイルを作成するステップと
ユーザが現在表示された文書ページに注釈を付けることを可能にする注釈モードの選択を検出するステップと、
前記現在表示された文書ページのストローク位置について、連続した距離で前記ユーザがユーザ入力デバイスを移動したことを示す当該ユーザ入力デバイスからの注釈ストローク入力を受信するステップと、
前記受信した注釈ストローク入力に基づいて、前記ユーザ入力デバイスの前記ストローク位置と前記移動とに対応したデータからなる注釈ストロークデータを記憶するステップと、ここで、前記記憶された注釈ストロークデータは、該現在表示されている文書ページの注釈付き部分を完全に不明瞭化しない半透明強調に対応するものであり、
前記半透明強調を前記コンピュータ表示装置上に表示するステップと、ここで、該表示は、前記現在表示されている文書からの画素を半透明色とブレンドして半透明注釈を生成するものであり、
前記現在表示されている文書の異なるページを表示するために、前記コンピュータ表示装置を更新するステップと、
前記異なるページに関連する既に記憶された注釈ストロークデータを検索するステップと、
既に記憶された注釈ストロークデータに対応する注釈を、前記コンピュータ表示装置に異なるページに重ねて表示するステップと
を具えたことを特徴とするコンピュータ実施方法。
【請求項２】  前記記憶された注釈ストロークデータは、現在表示されている文書ページの既に注釈付けされた領域を消去する消去強調に対応することを特徴とする請求項１記載のコンピュータ実施方法。
【請求項３】  前記ユーザ入力装置は、タブレットコンピュータシステム内のスタイラスからなることを特徴とする請求項１記載のコンピュータ実施方法。
【請求項４】  文書ブラウザにおけるタイトル変更事象を検出し、これに応答して、異なる文書ページに対応する注釈ファイルを突き止めるステップをさらに具えたことを特徴とする請求項１記載のコンピュータ実施方法。
【請求項５】  前記注釈ストロークデータは、データ構造内に記憶されることを特徴とする請求項１記載のコンピュータ実施方法。
【請求項６】  前記注釈ストロークデータは、所定のストローク幅からなり、該ストロークの軌道を示すように調整することを特徴とする請求項５記載のコンピュータ実施方法。
【請求項７】  前記注釈ストロークデータは、ビットマップ画像として記憶されることを特徴とする請求項１記載のコンピュータ実施方法。
【請求項８】  前記注釈ファイルは、前記ユーザに関連したユーザ識別子を含むことを特徴とする請求項１記載のコンピュータ実施方法。
【請求項９】  前記注釈ファイル上でのアクセス許可は、他のユーザへのアクセスが否定されている間、前記ユーザに前記注釈へのアクセスを可能に設定することを特徴とする請求項１記載のコンピュータ実施方法。
【請求項１０】  前記画素をブレンドするステップは、アルファブレンド関数を実行することを特徴とする請求項１記載のコンピュータ実施方法。
【請求項１１】  前記注釈ストロークデータは、スタイラス・ダウン事象とスタイラス・アップ事象との間の表示を横断するスタイラスの動きに対応することを特徴とする請求項１記載のコンピュータ実施方法。
【請求項１２】  電子文書に対して、該文書のコンテンツに無関係に注釈を付けるためのシステムであって、
コンピュータ表示装置と、
ユーザが、コンピュータ表示装置に電子文書を表示するとともに、複数の文書ページを前方又は後方に移動することを可能にする文書ブラウザでプログラム制御されるコンピュータと、
ユーザが、現在表示されている文書ページの部分を指示することを可能にするコンピュータ入力デバイスと、
コンピュータソフトウェアと
を具え、
前記コンピュータソフトウェアは、
前記電子文書の現在表示されたページが、該電子文書とは別個に記憶された既存の注釈ファイルに関連するものか否かを決定するものであり、ここで、前記現在表示されたページが前記既存の注釈ファイルに関連する場合には、前記別個に記憶された注釈ファイルを検索し、既に記憶されていた注釈ファイルデータに対応する注釈を前記コンピュータ表示装置に表示し、また、前記現在表示されたページが前記既存の注釈ファイルに関連しない場合には、前記電子文書とは別個に記憶される新たな注釈ファイルを作成するものであり、
ユーザが、現在表示されている文書の指示された部分に従って、現在表示されている文書ページの部分に注釈を加えることを可能にするものであり、ここで、現在表示されている文書ページの注釈付き部分を前記コンピュータ表示装置に表示し、ユーザが作成した注釈を前記別個に記憶された注釈ファイルに記憶し、また、前記現在表示されている文書ページの注釈付き部分を完全に不明瞭化しない半透明強調を表示しかつ記憶するものであり、該表示は、前記現在表示されている文書からの画素を半透明色とブレンドして半透明注釈を生成するものであり、
前記現在表示されている文書の異なるページを表示するために、前記コンピュータ表示装置を更新する処理と、
前記異なるページに関連する既に記憶された注釈ストロークデータを検索する処理と、
前記既に記憶された注釈ストロークデータに対応する注釈を、前記コンピュータ表示装置に異なるページに重ねて表示する処理と
を実行するようにされたことを特徴とするシステム。
【請求項１３】  前記コンピュータソフトウェアは、現在表示されている文書ページ上の既に作成された注釈を除去する消去注釈を表示および記憶することを特徴とする請求項１２記載のシステム。
【請求項１４】  前記コンピュータ表示装置は、フラットパネルディスプレイからなり、
前記コンピュータ入力デバイスは、スタイラスからなることを特徴とする請求項１２記載のシステム。
【請求項１５】  前記コンピュータソフトウェアは、タイトル変更事象を検出すると、異なる文書ページに関連する既に記憶された注釈を検索し、異なる文書ページ上に既に記憶された注釈を表示することを特徴とする請求項１２記載のシステム。
【請求項１６】  注釈モード選択メニューをさらに具えたことを特徴とする請求項１２記載のシステム。
【請求項１７】  前記注釈は、ストロークとしてデータ構造内に記憶されることを特徴とする請求項１２記載のシステム。
【請求項１８】  前記注釈は、ビットマップ画像として記憶されることを特徴とする請求項１２記載のシステム。
【請求項１９】  コンピュータ実行可能命令を有するコンピュータ読取可能媒体であって、
電子文書のページをコンピュータ表示装置に表示し、ユーザが複数の文書ページ間で前方又は後方に移動することを可能にするステップと、
前記電子文書の現在表示されたページが、該電子文書とは別個に記憶された既存の注釈ファイルに関連するものか否かを決定するステップと、
前記現在表示されたページが前記既存の注釈ファイルに関連する場合、前記別個に記憶された注釈ファイルを検索し、既に記憶されていた注釈ファイルデータに対応する注釈を前記コンピュータ表示装置に表示するステップと、
前記現在表示されたページが前記既存の注釈ファイルに関連しない場合、前記電子文書とは別個に記憶される新たな注釈ファイルを作成するステップと
ユーザが現在表示された文書ページに注釈を付けることを可能にする注釈モードの選択を検出するステップと、
前記現在表示された文書ページのストローク位置について、連続した距離で前記ユーザがユーザ入力デバイスを移動したことを示す当該ユーザ入力デバイスからの注釈ストローク入力を受信するステップと、
前記受信した注釈ストローク入力に基づいて、前記ユーザ入力デバイスの前記ストローク位置と前記移動とに対応したデータからなる注釈ストロークデータを記憶するステップと、ここで、前記記憶された注釈ストロークデータは、該現在表示されている文書ページの注釈付き部分を完全に不明瞭化しない半透明強調に対応するものであり、
前記半透明強調を前記コンピュータ表示装置上に表示するステップと、ここで、該表示は、前記現在表示されている文書からの画素を半透明色とブレンドして半透明注釈を生成するものであり、
前記現在表示されている文書の異なるページを表示するために、前記コンピュータ表示装置を更新するステップと、
前記異なるページに関連する既に記憶された注釈ストロークデータを検索するステップと、
既に記憶された注釈ストロークデータに対応する注釈を、前記コンピュータ表示装置に異なるページに重ねて表示するステップと
を具えたことを特徴とするコンピュータ読取可能媒体。
【請求項２０】  前記記憶された注釈ストロークデータは、既に作成された注釈の部分を消去する消去強調に対応することを特徴とする請求項１９記載のコンピュータ読取可能媒体。
【請求項２１】  前記注釈ストロークデータは、データ構造内に記憶されることを特徴とする請求項１９記載のコンピュータ読取可能媒体。
【請求項２２】  前記注釈ストロークデータは、ビットマップ画像として記憶されることを特徴とする請求項１９記載のコンピュータ読取可能媒体。